(57)【要約】【課題】手に装着後に脱落する心配がなく、とくに電子レンジで加熱された比較的に小さなお皿や茶碗等をつかむのに便利なように工夫を凝らした鍋つかみを提供するとともに、鍋つかみを掛具に掛けた状態で容易に片手で装着でき、掛けた鍋つかみのバランスが多少崩れても容易には落下しないように工夫した掛具を提供する。【解決手段】鍋つかみは、柔軟性と断熱性を有し平面から見て互いに対向する側に幅広部と幅狭部を設けて成る平面略変形長円形状のシート状を呈した基材と、この基材の前記幅広部と幅狭部の各片面側に該基材の中央部に空間部を設けてそれぞれ指カバー部を取り付けることによって設けた大小一対の指挿入部とで構成し、掛具は、柔軟性と断熱性を有するシート状の基材の両端側に指挿入部を設けた鍋つかみを掛けておくものであって、断面略くの字形状に折り曲げた掛部と、この掛部の一方の自由端から外側へ折り返した折り返し片とで構成する。【選択図】　　　　　図１
2004041442.tif 000002
【特許請求の範囲】
【請求項１】
柔軟性と断熱性を有し平面から見て互いに対向する側に幅広部と幅狭部を設けて成る平面略変形長円形状のシート状を呈した基材と、この基材の前記幅広部と幅狭部の各片面側に該基材の中央部に空間部を設けてそれぞれ指カバー部を取り付けることによって設けた大小一対の指挿入部とで構成したことを特徴とする、鍋つかみ。
【請求項２】
柔軟性と断熱性を有するシート状の基材の両端側に指挿入部を設けた鍋つかみを掛けておくものであって、断面略くの字形状に折り曲げた掛部と、この掛部の一方の自由端から外側へ折り返した折り返し片とで構成したことを特徴とする、掛具。
【請求項３】
柔軟性と断熱性を有するシート状の基材と、この基材の両端側に指挿入部を設けた鍋つかみを掛けておくものであって、断面略くの字形状に折り曲げた掛部と、この掛部の一方の自由端から外側へ折り返した折り返し片と、この折り返し片に設けた取付手段とで構成したことを特徴とする、掛具。
【発明の詳細な説明】
【０００１】
【発明の属する技術分野】
この発明は、電子レンジやガスレンジ或はオーブンなどで加熱された皿或は鍋などの蓋や取手をつかむ際に用いる鍋つかみ並びにこの鍋つかみの掛具に関する。
【０００２】
【従来の技術】
従来、手に対する装着がワンタッチとはいかないグローブ式の鍋つかみに代えて、柔軟性と断熱性を有するシート状の基材と、この基材の両端部側に指カバー部で覆われた一対の指挿入部を設けた鍋つかみが公知である。
【０００３】
また、この鍋つかみ用の掛具としては、丁度物干竿に物を掛けるように構成したのものが公知である。
【０００４】
【発明が解決しようとする課題】
上述した従来公知の鍋つかみは、手に対する装着のし易さでは、グローブ式のものよりも勝っているが、一対の各指挿入部の幅が双方同じであるため、指挿入部へ挿入させたとくに親指が挿入後に該指挿入部から外れてしまったり、とくに電子レンジなどで加熱された比較的に小型の皿や茶碗を持つ場合には、指挿入部の幅が広いため不必要に該指挿入部が皿や茶碗の上部を覆ってしまうため、扱いにくいという問題があった。
【０００５】
また、上述した従来公知の鍋つかみの掛具は、物干棹に物を掛けるように構成したものであったために、掛けた鍋つかみのバランスが崩れると、容易に落下してしまう上に、掛けた鍋つかみが完全に２つ折りとなってしまうことから、片手のみで手に装着しにくいという問題があった。
【０００６】
この発明の目的は、手に装着後に脱落する心配がなく、とくに電子レンジで加熱された比較的に小さなお皿や茶碗等をつかむのに便利なように工夫を凝らした鍋つかみを提供せんとするにある。
【０００７】
この発明の次の目的は、鍋つかみを掛具に掛けた状態で容易に片手で装着でき、掛けた鍋つかみのバランスが多少崩れても容易には落下しないように工夫した掛具を提供せんとするにある。
【０００８】
【課題を解決するための手段】
上述した目的を達成するためにこの発明は、鍋つかみとしては、柔軟性と断熱性を有し平面から見て互いに対向する側に幅広部と幅狭部を設けて成る平面略変形長円形状のシート状を呈した基材と、この基材の前記幅広部と幅狭部の各片面側に該基材の中央部に空間部を設けてそれぞれ指カバー部を取り付けることによって設けた大小一対の指挿入部とで構成したことを特徴とする。
【０００９】
この発明はまた、掛具としては、柔軟性と断熱性を有するシート状の基材の両端側に指挿入部を設けた鍋つかみを掛けておくものであって、断面略くの字形状に折り曲げた掛部と、この掛部の一方の自由端から外側へ折り返した折り返し部とで構成したことを特徴とする。
【００１０】
この発明はさらに掛具として、柔軟性と断熱性を有するシート状の基材の両端側に指挿入部を設けた鍋つかみを掛けておくものであって、断面略くの字形状に折り曲げた掛部と、この掛部の一方の自由端から外側へ折り返した折り返し部と、この折り返し部に設けた取付手段とで構成したことを特徴とする。
【００１１】
【発明の実施の形態】
図面はこの発明の一実施の形態を示し、図面において、指示記号１は鍋つかみであり、指示記号２はこの鍋つかみ１を使い易いように掛けておく掛具である。
【００１２】
鍋つかみ１は、とくに図１と図２と図４に示したように、例えばキルティング加工の布を２枚重ねにしたもので、柔軟性と断熱性を有し、互いの対向位置に幅広部１ｃと幅狭部１ｄを形成させた平面略変形長円形状を呈したシート状の基材１ａと、この基材１ａの片面の両端部側に該基材１ａの中央部に空間部１ｂを残して取り付けられた大小一対の指カバー部３ａ，４ａで覆われた親指用の指挿入部３とその他の指用の指挿入部４から成り、この指カバー部３ａ，４ａは基材１ａと同じ素材で構成されている。尚、指示記号４ｂは吊り下げ用の紐である。
【００１３】
尚、基材１ａや指カバー部３ａ，４ａの素材としては、上述したキルティング加工した布地の他に、厚手の布地や布地の間に綿や不繊布を芯材として内在させたもの、厚地の編物や織物、耐熱性繊維を利用したもの、或はスポンジや軟質のゴムなどでも良い。
【００１４】
指挿入部３，４は指カバー部３ａ，４ａをいせ込み、ダーツ、タックなどの方法によって基材１ａへ取り付けることにより、常に指を挿入させる間隙を有する膨らんだ状態を維持するようにする。指カバー部３ａ，４ａの基材１ａへの取付方法は、縫着の他に、接着、融着、ホック止め、ワイヤー止め等がある。
【００１５】
基材１ａの各指挿入部３，４の間に空間部１ｂを設けたのは、片手のみで指を各指挿入部３，４へ挿入し易くするためのものである。
【００１６】
次に、掛具２は、とくに図１と図３と図６に示したように、板状の合成樹脂製プレートを、まず、折り曲げ片２ｂ，２ｃを断面略くの字形状を呈するように折って掛部２ａを形成させ、次いでこの掛部２ａの折り曲げ片２ｂの自由端側を外側へ折り返して折り返し片５を形成させて成り、折り返し片５には、例えば吸盤から成る取付手段６が設けられている。そして、掛部２ａの上部両端からは上方に折り曲げた位置決め片７，７が突設されている。
【００１７】
掛部２ａの全体の長さは、２つ折りした鍋つかみ１の基材１ａの長さと略一致し、幅も鍋つかみの幅と略一致する長さを有しており、取付手段６を設ける折り返し片５の方の長さを若干長めに構成してある。取付手段６としては、実施の形態の吸盤以外に係止孔や係止具などがある。
【００１８】
したがって、この発明に係る鍋つかみ１は、親指を挿入させる指挿入部３とその他の指を挿入させる指挿入部４の大きさが異なり、親指を挿入させる指挿入部３の幅を小さくしたので、親指が挿入し易くなり、かつ挿入後の親指の脱落を防止することができる上に、図５に示したように、加熱された皿９や茶碗（図示せず）をつかむ際に、指挿入部３が不必要に皿９や茶碗（図示せず）の上部を占領して広い範囲を押えることがないものである。尚、指示記号１０は、例えば皿９に被せたラップである。
【００１９】
また、この発明に係る掛具２は、断面略くの字形状を呈した掛部２ａの頂部に鍋つかみ１の基材１ａの略中央部が位置するようにして掛けると、鍋つかみ１の左右側は位置決め片７，７によって位置決めされ、かつ、折り返し片５の折り曲げ部分に指挿入部３或は４の先端が当ることにより、掛止め位置が安定し、かつ、折り返し片５によって、基材１ａが展開位置に戻るのを阻止するので、鍋つかみ１が掛具２より容易に落下することなく、掛止め状態を安定的に保つものである。
【００２０】
したがって、使用時には掛具２に掛けた鍋つかみ１の上方より片手を親指とその他の指で物を挟む状態にして降ろすことにより、親指は該親指専用の指挿入部３へ、その他の指はそれら専用の指挿入部４に何の抵抗もなくすっと挿入され装着が完了することになる。使用終了後には、指に装着した状態で、折り曲げた部分を掛部２ａへ掛けつつ位置決め片７，７の間へ置き、指を抜くことにより、鍋つかみ１の掛具２に対する掛止状態が完了することになる。
【００２１】
また、とくに図１に示したように、掛具２に鍋つかみ１を掛けた状態で該掛具２をテーブルや調理台の上に置いておけば、折り返し片５が接地して容易には倒れない安定した載置状態を保つことができる。さらに取付手段６を用いた場合には、図６に示したように、それが吸盤の場合には、電子レンジの外側や台所の壁８等に吸盤を吸着させることにより、使い易い定位置に鍋つかみが存在することになる。取付手段を他の係止孔や係止具とした場合でも、その吊下げ場所を鍋つかみが取り易い位置に定めることによって同じ効果を奏し得る。
【００２２】
【発明の効果】
この発明は以上のように構成したので、次のような効果を奏し得る。
【００２３】
請求項１のように構成すると、使用時に各指を指挿入部へ挿入し易い上に、とくに親指の挿入後は不必要な弛みが生じないので、自然脱落を防止でき、加熱されたとくに皿や茶碗等をつかんだ際に、不必要に該皿や茶碗の上面を鍋つかみが覆うのを防止できる等の効果を奏し得る。
【００２４】
請求項２乃至３のように構成すると、基材の両端部側に指挿入部を設けた鍋つかみを使用時に片手で容易に装着できるように掛けておくことができ、かつ掛けた状態が安定し、自然に落下してしまうのを有効に防止することができるという効果を奏し得る。
【図面の簡単な説明】
【図１】この発明に係る鍋つかみを掛具に掛けて見た斜視図である。
【図２】この発明に係る鍋つかみの斜視図である。
【図３】この発明に係る鍋つかみの掛具の斜視図である。
【図４】図２に示した鍋つかみの縦断面図である。
【図５】図２に示した鍋つかみの使用状態を示す斜視図である。
【図６】図３に示した掛具の設置状態を説明する説明図である。
【符号の説明】
１　鍋つかみ
１ａ　基材
１ｂ　空間部
１ｃ　幅広部
１ｄ　幅狭部
２　掛具
２ａ　掛部
３　指挿入部
３ａ　指カバー部
４　指挿入部
４ａ　指カバー部
５　折り返し片
６　取付手段
【図１】
2004041442.tif 000003
【図２】
2004041442.tif 000004
【図３】
2004041442.tif 000005
【図４】
2004041442.tif 000006
【図５】
2004041442.tif 000007
【図６】
2004041442.tif 000008